(57)【要約】【課題】  包装箱において、第１ロック部を備える差込片と、第２ロック部を備える蓋片とを確実にロック可能にしながら、きれいな外観を損なうことなく、それらのロックを容易に解除して開封可能にすること。【解決手段】  包装箱１０であって、蓋片３１における基部３２において、第２ロック部１０２に交差するように延在させた切込部３４を有し、蓋板２１が蓋片３１に上側から重ねられ、差込片２２が後面板１２と蓋片３１との間に差し込まれる閉蓋状態で、差込片２２の第１ロック部１０１が蓋片３１における第２ロック部１０２の下側面に係合してロックするもの。【選択図】  図３
2018047950.tif 000002
【特許請求の範囲】
【請求項１】
前面板と、前面板に対向する後面板と、前面板の両側縁と後面板の両側縁にそれぞれ連設する一対の側面板と、前面板の上縁から延出する蓋板と、蓋板の先端から延出する差込片と、側面板の上縁から延出する蓋片とを有する包装箱であって、
差込片における蓋板との境界で、それらの両者間の折り罫線の端部が該折り罫線に平行する方向に切離され、切離された該差込片の切辺を第１ロック部とし、
側面板の上縁と接続される蓋片における基部の後面板寄りの縁部を第２ロック部とし、
蓋片における基部において、第２ロック部に交差するように延在させた切込部を有し、
蓋板が蓋片に上側から重ねられ、差込片が後面板と蓋片との間に差し込まれる閉蓋状態で、差込片の第１ロック部が蓋片における第２ロック部の下側面に係合してロックする包装箱。
【請求項２】
前記差込片における蓋板との境界で、それらの両者間の折り罫線の端部が、該折り罫線に連続する側については、該折り罫線に平行する方向に切離されて前記第１ロック部を形成するものとし、該折り罫線と上記第１ロック部を介して離隔する側については、該折り罫線と斜交する方向に切離された面取部とされる請求項１に記載の包装箱。
【請求項３】
前記差込片の第１ロック部が蓋片における第２ロック部の下側面に係合する閉蓋状態で、蓋片に延在させた切込部の延在端が、後面板の側から前面板の側へ向かう方向において、第１ロック部と第２ロック部との係合位置よりも前面板寄りに設定される請求項１又は２に記載の包装箱。
【請求項４】
前記第２ロック部の長さが、前記切込部の長さより大きい請求項１乃至３のいずれかに記載の包装箱。
【請求項５】
前記蓋板が、差込片との境界で、それらの両者間の折り罫線の中央部に切込形成されて該折り罫線よりも外方へ突出するつまみ部を有する請求項１乃至４のいずれかに記載の包装箱。
【発明の詳細な説明】
【技術分野】
【０００１】
本発明は包装箱に関する。
【背景技術】
【０００２】
包装箱として、特許文献１に記載の如く、前面板と、前面板に対向する後面板と、前面板の両側縁と後面板の両側縁にそれぞれ連設する一対の側面板と、側面板の上縁から延出する蓋片と、後面板の上縁から延出する蓋板と、蓋板の先端から延出する差込片とを有するものがある。この包装箱は、蓋板を蓋片に上側から重ね、差込片が前面板と蓋片との間に差し込まれて閉蓋状態とされる。
【０００３】
このような包装箱では、製造段階から輸送段階、ひいては使用者の保管段階等において、蓋板が自然に開かないように上述の閉蓋状態を維持する必要がある。
【０００４】
そこで、特許文献１に記載の包装箱では、差込片における蓋板との境界で、それらの両者間の折り罫線を挟むそれらの両端部が該折り罫線に平行する方向に切離され、切離された該差込片の切辺を第１ロック部とし、側面板の上縁と接続される蓋片における基部の前面板寄りの縁部を第２ロック部とし、上述の閉蓋状態で、差込片の第１ロック部が蓋片における第２ロック部の下側面に係合してロックするものとしている。
【０００５】
更に、特許文献１に記載の包装箱では、蓋板が閉蓋状態から自然に開くことのないように、第１ロック部を備える差込片と、第２ロック部を備える蓋片による上述のロックの強化を図った場合にも、使用者がそのロックを容易に解除して開封可能にするため、蓋板に押込部を設けた。即ち、使用者が蓋板に設けた押込部を指で押込み変形させると、押込部の周辺の蓋板が折れ曲がって凹み又は破れ、この凹み部又は破れ部に指を入れることで蓋板を引き上げてロックを容易に解除し、蓋板を開封できる、としたものである。
【先行技術文献】
【特許文献】
【０００６】
【特許文献１】特開2002-19766号公報
【発明の概要】
【発明が解決しようとする課題】
【０００７】
特許文献１に記載の包装箱では、第１ロック部を備える差込片と、第２ロック部を備える蓋片とのロックを、蓋板に設けた押込部の押込み変形によって容易に解除できるとしても、その後の蓋板は凹み部又は破れ部を伴って損傷し、美観を損なう。従って、このような押込部を用いて一度開封された包装箱は、きれいな外観を保った状態で再利用に供することができない。
【０００８】
本発明の課題は、包装箱において、第１ロック部を備える差込片と、第２ロック部を備える蓋片とを確実にロック可能にしながら、きれいな外観を損なうことなく、それらのロックを容易に解除して開封可能にすることにある。
【課題を解決するための手段】
【０００９】
請求項１に係る発明は、前面板と、前面板に対向する後面板と、前面板の両側縁と後面板の両側縁にそれぞれ連設する一対の側面板と、前面板の上縁から延出する蓋板と、蓋板の先端から延出する差込片と、側面板の上縁から延出する蓋片とを有する包装箱であって、差込片における蓋板との境界で、それらの両者間の折り罫線の端部が該折り罫線に平行する方向に切離され、切離された該差込片の切辺を第１ロック部とし、側面板の上縁と接続される蓋片における基部の後面板寄りの縁部を第２ロック部とし、蓋片における基部において、第２ロック部に交差するように延在させた切込部を有し、蓋板が蓋片に上側から重ねられ、差込片が後面板と蓋片との間に差し込まれる閉蓋状態で、差込片の第１ロック部が蓋片における第２ロック部の下側面に係合してロックするようにしたものである。
【発明の効果】
【００１０】
本発明によれば、包装箱において、第１ロック部を備える差込片と、第２ロック部を備える蓋片とを確実にロック可能にしながら、きれいな外観を損なうことなく、それらのロックを容易に解除して開封できる。
【図面の簡単な説明】
【００１１】
【図１】図１は包装箱の一実施形態を示す斜視図である。
【図２】図２は包装箱の展開状態を示す平面図である。
【図３】図３は包装箱の閉蓋過程又は開蓋過程を示す斜視図である。
【図４】図４は図３の要部拡大図である。
【図５】図５は包装箱の閉蓋状態を示す斜視図である。
【図６】図６は図５の一部を切り欠いて示す要部拡大図である。
【図７】図７は図５のVII-VIIに沿う断面図である。
【図８】図８は図５のVIII-VIIIに沿う断面図である。
【図９】図９は蓋片に設ける切込部の位置の変形例を示す模式図である。
【発明を実施するための形態】
【００１２】
図１に示した包装箱１０は、化粧品、医薬品等を収納して販売に供するものであり、図２に示すブランクＡから折り曲げ等されて組立て製作される。尚、本明細書で、前後左右上下とは、包装箱１０の底部を水平面上に置いた状態で視て、蓋板２１が連設する側を正面とし、その正面側を前、背面側を後、正面の左側を左、正面の右側を右、上方側を上、下方側を下という。従って、蓋板２１は上方側に位置し、底部は下方側に位置する。
【００１３】
図２に示したブランクＡは、例えば、板紙、合成樹脂シート等を打ち抜いて形成したものであり、矩形状の前面板１１と、前面板１１に対向する矩形状の後面板１２と、前面板１１の左右の両側縁にそれぞれ折り罫線ａ、ｂを介して連設する左右一対の矩形状の側面板１３、１４とを有する。
【００１４】
また、右側面板１４には折り罫線ｃを介して後面板１２が連設し、後面板１２には折り罫線ｄを介して接合板１５が連設される。この接合板１５は左側面板１３の折り罫線ａと相対する側縁の裏面に接合される。これにより、包装箱１０の組立状態で、左右の側面板１３、１４は、上述のように前面板１１の両側縁にそれぞれ折り罫線ａ、ｂを介して連設するとともに、後面板１２の両側縁のそれぞれに折り罫線ｃ、ｄを介して連設するものになる。
【００１５】
尚、接合板１５は折り罫線を介して左側面板１３に連接されていても良い。或いは、後面板１２は折り罫線を介して左側面板１３に連接され、接合板１５は後面板１２に連接されていても良く、接合板１５は右側面板１４に連接されていても良い。
【００１６】
また、ブランクＡは、前面板１１の上縁から折り罫線ｅを介して延出する矩形状の蓋板２１と、蓋板２１の先端から折り罫線ｆを介して延出する略矩形状の差込片２２と、左右の側面板１３、１４の上縁から折り罫線ｇ、ｇを介して延出する略矩形状の左右の蓋片３１、３１を有する。
【００１７】
ここで、ブランクＡは、差込片２２における蓋板２１との境界では、それらの両者間の折り罫線ｆの端部が該折り罫線ｆに平行する方向に切離され、切離された該差込片２２の切辺２２Ａを蓋側の第１ロック部１０１とする。本実施形態においては、折り罫線ｆを挟む左右の両端部が切離され、第１ロック部１０１が形成されている。尚、ブランクＡにおいて、蓋板２１と差込片２２の折り罫線ｆは、差込片２２の両端部の切辺２２Ａよりも前面板１１（折り罫線e）寄りに後退し、折り罫線eと折り罫線ｆとの間に間隔Ｇをなすものとしている。また、「折り罫線ｆに平行」は、実質的に平行であれば良く、折り罫線ｆに対して数度傾斜している場合も包含する。
【００１８】
また、ブランクＡは、各蓋片３１における側面板１３、１４の上縁と折り罫線ｇを介して接続される基部３２の後面板１２寄りの縁部３２Ａを蓋側の第２ロック部１０２とする。尚、本実施形態において、各蓋片３１は、図２、図４に示す如く、ブランクＡの後面板１２寄りにおいて側面板１３、１４の上縁との折り罫線ｇから延在する延在辺３３を有する。延在辺３３は、折り罫線ｇの側で該折り罫線ｇに直交する直線状延在辺３３Ａと、折り罫線ｇと直線状延在辺３３Ａを介して離隔する側で、該直線状延在辺３３Ａに斜交して斜め方向に延在する斜線状延在辺３３Ｂとからなるものとし、この直線状延在辺３３Ａを上述の第２ロック部１０２（縁部３２Ａ）としている。
【００１９】
更に、ブランクＡは、前面板１１の下縁から折り罫線ｈを介して延出する矩形状の底板４１と、底板４１の先端から折り罫線ｉを介して延出する略矩形状の差込片４２と、左右の側面板１３、１４の下縁から折り罫線ｊ、ｊを介して延出する略矩形状の左右の底片５１、５１を有する。
【００２０】
ここで、ブランクＡは、差込片４２における底板４１との境界では、それらの両者間の折り罫線ｉを挟む左右の両端部が該折り罫線ｉに平行する方向に切離され、切離された該差込片４２の切辺４２Ａを底側の第１ロック部２０１とする。
【００２１】
また、ブランクＡは、各底片５１における側面板１３、１４の下縁と折り罫線ｊを介して接続される基部５２の後面板１２寄りの縁部５２Ａを底側の第２ロック部２０２とする。尚、本実施形態において、各底片５１は、図２に示す如く、ブランクＡの後面板１２寄りにおいて側面板１３、１４の下縁との折り罫線ｊから延在する延在辺５３を有する。延在辺５３は、折り罫線ｊの側で該折り罫線ｊに直交する直線状延在辺５３Ａと、折り罫線ｊと直線状延在辺５３Ａを介して離隔する側で、該直線状延在辺５３Ａに斜交して斜め方向に延在する斜線状延在辺５３Ｂとから構成されるものとし、この直線状延在辺５３Ａを上述の第２ロック部２０２（縁部５２Ａ）としている。尚、底辺５１は、蓋片３１が有する後述の切込部３４に相当するものを有していない。但し、底辺５１は、蓋片３１と同様に切込部を有しても良い。
【００２２】
図２のブランクＡを組立てて図１の包装箱１０を形成する手順は以下の通りになる。
(1)ブランクＡを折り罫線ａ、ｂ、ｃ、ｄで内側に直角に折り曲げて筒状の胴部を形成し、後面板１２に連設された接合板１５を左側面板１３の裏面に重ねて接着剤等により接合する。
尚、接合板１５は、左側面板１３の表面に重ねて接合されていても良い。
【００２３】
(2)各底片５１が前述の筒状の胴部側に折り曲げられた後、底板４１が底片５１に下側から重ねられ、差込片４２が後面板１２と底片５１との間に差し込まれる。このとき、差込片４２の第１ロック部２０１が底片５１における第２ロック部２０２の上側面（「上側面」とは底片５１における「上側の面」をいう）に係合して、それらの差込片４２と底片５１とをロックし、包装箱１０の閉底状態が形成される。
【００２４】
(3) 各蓋３１が前述の筒状の胴部側に折り曲げられた後、蓋板２１が蓋片３１に上側から重ねられ（図３、図４）、差込片２２が後面板１２と蓋片３１との間に差し込まれる（図５、図６）。このとき、差込片２２の第１ロック部１０１が、図７、図８に示す如く、蓋片３１における第２ロック部１０２の下側面（「下側面」とは蓋片３１における「下側の面」をいう）に係合して、それらの差込片２２と蓋片３１とをロックし、包装箱１０の閉蓋状態が形成される。
【００２５】
尚、ブランクＡにおける折り罫線eと折り罫線ｆの前述した間隔Ｇ（図２）が小さいほど、差込片２２の第１ロック部１０１は蓋片３１における第２ロック部１０２の下側面で、より前面板１１寄りに係合し、そのロック強度を強くする。
【００２６】
しかるに、包装箱１０は、第１ロック部１０１を備える差込片２２と、第２ロック部１０２を備える蓋片３１とを確実にロック可能にしながら、きれいな外観を損なうことなく、それらのロックを容易に解除して開封できるようにするため、以下の構成を具備する。
【００２７】
即ち、各蓋片３１における側面板１３、１４の上縁と折り罫線ｇを介して接続される基部３２において、図２乃至図６に示す如く、第２ロック部１０２に交差するように延在させた切込部３４を有する。本実施形態において、切込部３４は、蓋片３１の基部３２における側面板１３、１４の上縁との折り罫線ｇに沿って該折り罫線ｇ上に設けられる。この切込部３４の存在は、後に詳述する如く、差込片２２の第１ロック部１０１が蓋片３１における第２ロック部１０２の下側面に係合している状態から、該差込片２２の第１ロック部１０１が蓋片３１に押上力を及ぼすときに、蓋片３１の基部の変形を促し、該差込片２２により該蓋片３１の基部３２を捲り上げるようにして容易に押し上げ、ひいては該差込片２２と該蓋片３１とのロックを容易に解除可能にする。
【００２８】
また、本実施形態では、差込片２２における蓋板２１との境界で、図２乃至図６に示す如く、それらの両者間の折り罫線fを挟むそれらの両端部が、面取部２２Ｂとされる。詳細には、該折り罫線ｆに連続する側については、該折り罫線ｆに平行する方向に切離されて第１ロック部１０１となる前述の切辺２２Ａを形成するものとし、該折り罫線ｆと上記第１ロック部１０１を介して離隔する外端側については、該折り罫線ｆと斜交する方向に切離された面取部２２Ｂとされる。この面取部２２Ｂの存在は、後に詳述する如く、差込片２２と蓋片３１とのロックの強度をいくらか弱める。
【００２９】
また、本実施形態は、差込片２２の第１ロック部１０１が蓋片３１における第２ロック部１０２の下側面に係合する包装箱１０の閉蓋状態で、蓋片３１に延在させた切込部３４の延在端３４Ｅが、図６、図８に示す如く、蓋片３１と側面板１３、１４との折り罫線ｇに沿って後面板１２の側から前面板１１の側へ向かう方向において、第１ロック部１０１と第２ロック部１０２の下側面との係合位置Ｐよりも前面板１１寄りに設定される。この切込部３４の延在端３４Ｅの設定は、後に詳述する如く、差込片２２の第１ロック部１０１による蓋片３１の押上げ変形を確実かつ容易にする。
【００３０】
また、本実施形態では、蓋片３１に設けた第２ロック部１０２の長さＲ（図７）が、蓋片３１の基部３２に形成した切込部３４の長さＬ（図８）より大きく設定される。
【００３１】
更に、本実施形態では、蓋板２１が、差込片２２との境界で、図２乃至図６に示す如く、蓋板２１と差込片２２との間の折り罫線ｆの中央部につまみ部６０を切込み形成されて備える。蓋板２１が備えるつまみ部６０は、ブランクＡの状態では折り罫線ｆよりも差込片２２の側へ突出した部分を有する切込み線を備え、包装箱１０の組立状態では折り罫線ｆよりも外方へ突出したつまみ部６０として形成される。これにより、使用者の指先を蓋板２１の開封時にこのつまみ部６０にかけて該蓋板２１を容易に引き上げ可能にする。後面板１２の上縁の中央部には、つまみ部６０に指先を掛け易いようにするための凹状切欠部６１が形成されている。
【００３２】
従って、本実施形態の包装箱１０によれば、以下の作用効果を奏する。
(a)包装箱１０の閉蓋時には、蓋板２１が蓋片３１に上側から重ねられ（図３、図４）、差込片２２が後面板１２と蓋片３１との間に差し込まれた状態で（図５、図６）、差込片２２の第１ロック部１０１が蓋片３１の基部３２における第２ロック部１０２の下側面に係合して、差込片２２と蓋片３１とがロックする。
【００３３】
この閉蓋状態から蓋板２１を開封するように、蓋板２１を引き上げて、差込片２２を後面板１２と蓋片３１との間から引き出そうとすると、差込片２２の第１ロック部１０１が蓋片３１の基部３２における第２ロック部１０２の下側面に当たってこの蓋片３１を押し上げる押上げ力Ｆ（図６）を及ぼす。このとき、蓋片３１の基部３２（本実施形態では、該基部３２における側面板１３、１４の上縁との折り罫線ｇに沿う該折り罫線ｇ上）には、第２ロック部１０２に交差する切込部３４が延在されている。従って、この蓋片３１の基部３２において切込部３４により側面板１３、１４の上縁の側から分離されていて、かつ第２ロック部１０２に近接している部分は、差込片２２の上述の押上げ力Ｆを受けたとき、当該第２ロック部１０２に近接している部分が側面板１３、１４の上縁の側から分離されていないものに比して、当該押上げ力Ｆによって容易に捲り上げられて押上げ変形され得るものになる。
【００３４】
これにより、第１ロック部１０１を備える差込片２２と、第２ロック部１０２を備える蓋片３１とのロックの確実、強化を図るときにも、差込片２２は第１ロック部１０１を介して蓋片３１の基部３２の第２ロック部１０２に近接する部分を容易に押し上げでき、ひいては該差込片２２と該蓋片３１とのロックを容易に解除し得るものとなる。従って、このロックをむりやり解除することに伴う蓋板２１や差込片２２の破れ等を招来することがないから、包装箱１０のきれいな外観を損なうことなく、それらのロックを容易に解除して開封できる。
【００３５】
(b)差込片２２における蓋板２１との境界で、それらの両者間の折り罫線ｆを挟むそれらの両端部で、該折り罫線ｆに連続する側の一部だけを該折り罫線ｆに平行する第１ロック部１０１（切辺２２Ａ）とし、残部を該折り罫線ｆと斜交する面取部２２Ｂとした。差込片２２における蓋板２１との境界にこの面取部２２Ｂを設けるものは、図４、図６に示す如く、それらの両者間の折り罫線ｆを挟むそれらの両端部の全域を第１ロック部１０１とするものに比して、第１ロック部１０１の長さを短いものとし、第１ロック部１０１が蓋片３１の第２ロック部１０２に近接する下側面に係合する長さ範囲を小さくし、第１ロック部１０１を備える差込片２２と、第２ロック部１０２を備える蓋片３１とのロックの強度をいくらか弱め、蓋板２１の開封性を向上できる。
【００３６】
従って、包装箱１０にあっては、差込片２２における蓋板２１との境界に設ける切辺２２Ａと面取部２２Ｂの長さ割合を調整することにより、差込片２２と蓋片３１とのロックの強度を強弱調整できる。
但し、包装箱１０において、面取部２２Ｂを備えることは必須でない。
【００３７】
尚、差込片２２における蓋板２１との境界で、それらの両者間の折り罫線ｆを挟むそれらの両端部で、該折り罫線ｆに連続する側の一部にだけ第１ロック部１０１を設け、残部に面取部２２Ｂを設けた場合に、蓋片３１の基部３２に設ける切込部３４は、該蓋片３１の基部３２における側面板１３、１４の上縁との折り罫線ｇ上でなく、図９に示す切込部３４Ｋの如くに、当該折り罫線ｇよりも蓋片３１の内部領域（包装箱１０の閉蓋状態で、差込片２２の面取部２２Ｂが当該蓋片３１の下側面に対向する領域）の側に入った部位に設けることもできる。
【００３８】
(c)差込片２２の第１ロック部１０１が蓋片３１における第２ロック部１０２の下側面に係合する閉蓋状態で、蓋片３１に延在させた切込部３４の延在端３４Ｅが、後面板１２の側から前面板の側へ向かう方向において、図６、図８に示す如く、第１ロック部１０１と第２ロック部１０２との係合位置Ｐよりも前面板１１寄りに設定される。これにより、蓋板２１を閉蓋状態から開封するに際し、差込片２２の第１ロック部１０１が蓋片３１の基部３２における第２ロック部１０２の下側面に当たってこの蓋片３１を押し上げる押上げ力Ｆを及ぼすとき、上記設定の切込部３４の存在によれば、この押上げ力Ｆが付与される蓋片３１の基部３２を側面板１３、１４の上縁の側から確実に分離し、当該蓋片３１の基部３２を確実かつ容易に押上げできる。
【００３９】
(d)蓋片３１における第２ロック部１０２の長さＲが、図７、図８に示す如く、蓋片３１の基部３２に形成した切込部３４の長さＬより大きく設定される。これにより、第１ロック部１０１と第２ロック部１０２の下側面との係合長さを切込部３４の長さより大きく確保し、差込片２２と蓋片３１とのロックの強度を強くできる。
【００４０】
(e)蓋板２１が、図２乃至図６に示す如く、差込片２２との境界で、それらの両者間における折り罫線ｆの中央部に切込形成されて該折り罫線ｆよりも外方へ突出するつまみ部６０を有する。蓋板２１を閉蓋状態から開封するに際し、蓋板３１のつまみ部６０を用いて該蓋板２１を引き上げることにより、差込片２２の第１ロック部１０１を介して、蓋片３１に容易に押上げ力Ｆを付与できる。
【００４１】
但し、包装箱１０において、つまみ部６０を備えることは必須でない。
尚、包装箱１０にあっては、底側の第１ロック部２０１及び底側の第２ロック部２０２を備えることを必須としない。
【００４２】
また、第１ロック部１０１は、折り罫線ｆを挟む左右の両端部ではなく、左右の一方のみに設けても良い。その場合、第２ロック部１０２及び切込部３４は、第１ロック部１０１が設けられた側に形成する。
【産業上の利用可能性】
【００４３】
本発明によれば、包装箱において、第１ロック部を備える差込片と、第２ロック部を備える蓋片とを確実にロック可能にしながら、きれいな外観を損なうことなく、それらのロックを容易に解除して開封できる。
【符号の説明】
【００４４】
１０  包装箱
１１  前面板
１２  後面板
１３、１４  側面板
２１  蓋板
２２  差込片
２２Ａ  切辺
２２Ｂ  面取部
３１  蓋片
３２  基部
３２Ａ  縁部
３４  切込部
３４Ｅ  延在端
６０  つまみ部
１０１  第１ロック部
１０２  第２ロック部  
Ｐ  係合位置
【図１】
2018047950.tif 000003
【図２】
2018047950.tif 000004
【図３】
2018047950.tif 000005
【図４】
2018047950.tif 000006
【図５】
2018047950.tif 000007
【図６】
2018047950.tif 000008
【図７】
2018047950.tif 000009
【図８】
2018047950.tif 000010
【図９】
2018047950.tif 000011